(57)【要約】【課題】デザイン上の制約を受けたり、本体や部品が破損することなく、安全かつ確実に本体から水タンクや水槽部が脱落することが防止される加湿装置を提供すること。【解決手段】本体１と水槽部３とを係止機構２８、２９によって係止するようにした加湿装置であって、水槽部１に装着した水タンクが係止機構２８、２９に対し水槽部３を本体１に係止する方向の力を加えるように構成した。水タンク２が装着されている場合は、係止機構自身の係止力に加えて水タンク２の荷重が水槽部３を本体１に係止させる力として働くので、確実に水槽部３が本体１から脱落するのを防止することができる。また、水タンクが装着されていなければ水槽部３を本体１に係止させる力は働かないので、本体１から水槽部３を容易に取り外すことができる。【選択図】図６
2014009882.tif 000002
【特許請求の範囲】
【請求項１】
加湿装置の本体と、前記本体に着脱自在に装着される水槽部と、前記水槽部に着脱自在に装着されて前記水槽部に水を供給する水タンクと、前記水槽部を前記本体に係止する係止機構とを備え、前記水タンクが前記水槽部に装着された状態において、前記水タンクは前記係止機構に前記水槽部を前記本体に係止する方向の力を加えることを特徴とする加湿装置。
【請求項２】
前記係止機構は前記水槽部底部および前記本体に設けられた係止片と嵌合孔からなることを特徴とする請求項１記載の加湿装置。
【請求項３】
前記係止機構は前記水槽部底部に設けられた係止片と、前記本体に設けられた嵌合孔であることを特徴とする請求項２記載の加湿装置。
【請求項４】
前記係止機構は前記水槽部底部および前記本体のそれぞれに設けられた係止片であることを特徴とする請求項１記載の加湿装置。
【請求項５】
前記水タンクは下部が前記水槽部内に挿入されるとともに、加湿装置の外装の一部を形成することを特徴とする請求項１から４のいずれかに記載の加湿装置。
【発明の詳細な説明】
【技術分野】
【０００１】
本発明は、室内の乾燥を防止するための加湿装置に関するものである。
【背景技術】
【０００２】
従来、加湿装置においては、水を供給する水タンクや水を気化させる水槽部を本体に着脱自在に設けたものが一般的である。そしてこのような加湿装置は、通常、水タンクや水槽部を本体に装着した状態で持ち運びされるため、運んでいる最中に本体から水タンクや水槽部が脱落すると部品が破損したり、また落下した部品でケガをするおそれがあることから、水タンクや水槽部が脱落しないような構造とする必要がある。
【０００３】
水タンクや水槽部の脱落を防止する方法の一つとして、本体を安定して運べるように持ち手を設けることが考えられる。例えば、特許文献１のように、本体の側面下部に切欠きを設け、さらにこの切欠き内部に手挿入部を設けることにより本体を運ぶ際に傾いたりしないようにしたものがある。
【０００４】
また、別の方法としては、水タンクや水槽部を本体に引っ掛けるなどして固定するようにしたものがあり、例えば特許文献２では本体側に爪を設け、この爪に水タンクを引っ掛けるようにして水タンクを脱落させないようにしている。
【先行技術文献】
【特許文献】
【０００５】
【特許文献１】特開２００４−０４４９０４号公報
【特許文献２】特開２００５−０６１７５３号公報
【発明の概要】
【発明が解決しようとする課題】
【０００６】
しかしながら、本体に持ち手を設ける場合、本体を安定して持ち運べることが絶対条件であることから、持ち手の位置を決める際には本体の重心などを考慮しなければならず、持ち手を自由に配置することができない。そのため、何かしらデザイン上の制約を受けることになる。特に、水タンクが外装の一部を形成するようなデザインの場合、水タンクと被らない位置に持ち手を配置しなければならないため、一層持ち手の配置が限定されてデザイン上の制約が厳しくなることが予想される。
【０００７】
また、水タンクと本体を爪などで係止させる構造の場合、係止部分の強度は他の部分に比べて弱いので、もしタンクを本体に装着する際に誤って途中で手を離して落としたりすると、爪が破損してしまい水タンクを係止する機能を果たせなくなってしまうおそれがある。
【０００８】
本発明は、上記課題を解決するためのもので、デザイン上の制約を受けたり、本体や部品が破損することなく、安全かつ確実に水タンクや水槽部の脱落を防止できる加湿装置を提供することを目的とする。
【課題を解決するための手段】
【０００９】
本発明は、加湿装置の本体と、前記本体に着脱自在に装着される水槽部と、前記水槽部に着脱自在に装着されて前記水槽部に水を供給する水タンクと、前記水槽部を前記本体に係止する係止機構とを備え、前記水タンクが前記水槽部に装着された状態において、前記水タンクは前記係止機構に前記水槽部を前記本体に係止する方向の力を加えることを特徴とする加湿装置である。
【００１０】
また、前記係止機構は前記水槽部底部および前記本体に設けられた係止片と嵌合孔からなることを特徴とする請求項１記載の加湿装置である。
【００１１】
また、前記係止機構は前記水槽部底部に設けられた係止片と、前記本体に設けられた嵌合孔であることを特徴とする請求項２記載の加湿装置である。
【００１２】
また、前記係止機構は前記水槽部底部および前記本体のそれぞれに設けられた係止片であることを特徴とする請求項１記載の加湿装置である。
【００１３】
また、前記水タンクは下部が前記水槽部内に挿入されるとともに、加湿装置の外装の一部を形成することを特徴とする請求項１から４のいずれかに記載の加湿装置である。
【発明の効果】
【００１４】
上述のように構成することにより、水タンクを本体に装着すれば、水槽部を本体に係止する力を加えられるため、確実に本体から水タンクや水槽部が脱落することを防ぐことができる。
【図面の簡単な説明】
【００１５】
【図１】本発明の加湿装置の外観図である。
【図２】本体から水タンクと水槽部を取り外した状態を示す図である。
【図３】水槽部の上面図である。
【図４】加湿装置の断面概略図である。
【図５】実施例１の係止機構を示す図である。
【図６】実施例１において水タンクが装着されているときの係止機構の作用を説明する図である。
【図７】実施例１において本体から水槽部を取り外すときの係止機構の作用を説明する図である。
【図８】実施例２の係止機構を示す図である。
【図９】実施例２において水タンクが装着されているときの係止機構の作用を説明する図である。
【図１０】実施例２において本体から水槽部を取り外すときの係止機構の作用を説明する図である。
【図１１】実施例３の係止機構を示す図である。
【図１２】実施例３において水タンクが装着されているときの係止機構の作用を説明する図である。
【図１３】実施例３において本体から水槽部を取り外すときの係止機構の作用を説明する図である。
【発明を実施するための形態】
【００１６】
好適と考える本発明の実施形態を、本発明の作用効果を示して簡単に説明する。
【００１７】
本発明は、水槽部や水タンクの脱落を防止するために本体と水槽部とを係止機構によって係止するようにした加湿装置であって、水槽部に装着した水タンクが係止機構に対し水槽部を本体に係止する方向の力を加えるように構成した。
【００１８】
つまり、本体と水槽部はもともと係止機構によって係止されているが、水タンクが装着されている場合は、係止機構自身の係止力に加えて水タンクの荷重が水槽部を本体に係止させる力として働くので、加湿装置を持ち運ぶ際にも確実に水槽部が本体から脱落するのを防止することができる。また、水タンクが装着されていなければ係止機構に対して水槽部を本体に係止させる力は働かないので、本体から水槽部を容易に取り外すことができる。
【００１９】
また、水槽部底部と本体に係止機構を設けることで、水槽部に装着された水タンクの荷重が係止機構を上から押さえつける力として働くので、この力を水槽部と本体とを係止させる力として利用することができる。また水タンクは直接係止機構とは接触しないので、水タンクを水槽部に装着する際に誤って落としてしまっても、係止機構が破損するおそれもない。
【００２０】
また、係止機構を係止片と嵌合孔から構成し、係止片を水槽部底部に設け、嵌合孔を本体に設けることで、本体側の嵌合孔は貫通孔とすることができるため、簡単な構造で係止機構を構成することができる。
【００２１】
また、係止機構を働かせるためには水タンクを装着するだけでよく、本体の外装にはなんら影響を及ぼさないため、水タンクが外装の一部を形成するようなデザインの場合でも、持ち手の配置などのデザイン上の制約を受けることなく、確実に水槽部が本体から脱落するのを防止することができる。
【実施例１】
【００２２】
以下本発明の一実施例を図面により説明する。
【００２３】
図１は本発明の加湿装置の外観図である。加湿装置は、本体１と、加湿装置に水を供給する水タンク２と、水タンク２から供給される水を一定量貯える水槽部３から構成されていて、水槽部３は本体１に引き出し可能に設けられるとともに、水タンク２は水槽部３に対して上から着脱自在に設けられている。また、本体１の上面には加湿空気を吹き出す吹出口４が設けられ、両側面の上部には加湿装置を持ち運ぶ際に手を掛けるための持ち手５が形成されている。
【００２４】
図２は本体１から水タンク２と水槽部３を取り外した状態を示す図である。本体１の前面は、上部が本体前面壁６で覆われるとともに、本体前面壁６の下部には開口７が設けられた構造となっており、この開口７を介して本体１内の下部には水槽部３を収容する空間となる水槽収容部８が形成されている。水槽部３はこの水槽収容部８に引き出し可能に配置される。さらに本体１の背面には室内の空気を取り入れる吸込口９が設けられ、吸込口９はこの水槽収容部８と連通している。また、本体前面壁６の下端には、本体前面壁６よりわずかに水槽収容部８内に入り込むようにして段差部６ａが屈曲形成されている。
【００２５】
水タンク２は、内部の水量が透視できるように透明もしくは半透明の合成樹脂から形成されていて、水槽部３に装着した際に自立するよう、水槽部３内に下部が挿入された状態で水槽部３上に載置され、上部は加湿装置の外装の一部を形成している。また、この水タンク２は加湿装置の外装となる上部タンク１０と、水槽部３内に挿入される下部タンク１１とを別体で作成した後、上部タンク１０と下部タンク１１とを溶着して成形されている。
【００２６】
上部タンク１０は、水タンク２が水槽部３に装着された状態において、本体前面壁６と接するようになっており、その上面には水タンク２を水槽部３から取り外す際の持ち手となるタンク取手１２が形成されている。また、下部タンク１１は、上端を外周方向に延設して形成された段部１３を有するとともに、底面にはタンクキャップ１４が取り付けられ、タンクキャップ１４に形成された給水口１５より水槽部３に水が供給されるようになっている。
【００２７】
水槽部３は、中央に仕切板１６が立設し、この仕切板１６を挟んで手前側には水タンク２の下部タンク１１を収容する水タンク収容部１７、奥側には気化フィルタ１８を収容する気化フィルタ収容部１９とに区画されており、水槽部３を本体１に装着すると、気化フィルタ収容部１９が水槽収容部８内に収容されるようになっている。そして、気化フィルタ収容部１９が水槽収容部８内に完全に収容されると、仕切板１６の上端が本体前面壁６に設けられた段差部６ａに当接して水槽収容部８が閉塞される。さらに、水タンク収容部１７側の下方には凹みを設けて水槽部取手２０が形成されており、この水槽部取手２０に下から手を掛けて引くことで水槽部３が本体１から引き出される。
【００２８】
図３は水槽部３の上面図であって、水タンク収容部１７は、底部にタンクキャップ１４を受けるキャップ収容部２１が形成され、仕切板１６にはリブ２２が複数形成されている。このリブ２２は、水槽部３の強度を上げるとともに、水タンク２が装着されたときに、水タンク２の段部１３をこのリブ２２の上面で受けるために設けられたものである。このリブ２２を設けることにより、水槽部３は水タンク２の段部１３の全周と当接するため、水タンク２を安定して支えることができる。
【００２９】
気化フィルタ収容部１９は、内部に複数のガイド棒２３を備えており、ガイド棒２３の間に気化フィルタ１８を沿わせることで、気化フィルタ１８を正しい位置に取り付けることができる。
【００３０】
仕切板１６には水タンク収容部１７と気化フィルタ収容部１９を連通する連通孔（図示せず）が設けられており、水タンク２から水槽部３に供給された水は、水タンク収容部１７からこの連通孔を介して気化フィルタ収容部１９に流入し、気化フィルタ１８の毛細管現象によって吸い上げられることで気化フィルタ１８が水を含んで湿潤する。
【００３１】
図４は加湿装置の縦断面構成図である。気化フィルタ１８の上部にはモータ２４とシロッコファン２５からなる送風機２６と、本体１に送風機２６を取り付けるとともに、加湿空気の通路を形成するファンケーシング２７が設けられている。この送風機２６が回転することで室内の空気が吸込口９から取り込まれ、取り込まれた空気は水槽部３内の水を吸い上げて湿潤している気化フィルタ１８を通過することで加湿空気となり、ファンケーシング２７と本体前面壁６の間を通過して吹出口４より室内に放出される。
【００３２】
水タンク収容部１７の底面には係止片２８が設けられるとともに、係止片２８に対向して本体１の底面には嵌合孔２９が設けられ、この嵌合孔２９と係止片２８によって係止機構が構成されている。図５はこの係止機構の拡大図であり、水タンク収容部１７の底面に設けられた凸状の小片である係止片２８が、本体１底部に設けられた嵌合孔２９に上から嵌り込むようになっており、本体１に水槽部３を装着すると、係止機構により水槽部３が本体１に係止した状態となる。さらに水槽部３には水タンク２の荷重が加わることにより上から係止片２８を押し付ける力が働き、係止機構の係止力が増すため、加湿装置を持ち運ぶ際などに本体１を傾けたとしても、水槽部３が本体１から外れてしまうことを防止している。一方で、本体１から水槽部３を取り外す際には、水槽部３をわずかに持ち上げると係止片２８が嵌合孔２９から外れて係止機構が解除されるので、係止機構を解除した状態で引き出すことにより水槽部３を取り外すことができる。
【００３３】
また、水槽部３が正しく本体１に装着されていないと、係止片２８が嵌合孔２９に嵌らないため、水槽部３が半掛かりの状態で使用されることも防止される。もし水槽部３が半掛かりになっていると、本体１の開口７が完全に閉塞されずに隙間が空いてしまい、本体１内の空気流が変化するため加湿性能が低下してしまうといった問題が発生する。しかし、係止機構を設けたことにより、水槽部３は本体１に正しく装着されることとなり、水槽部３の装着の不備が原因となる加湿性能の低下を未然に防ぐことができる。
【００３４】
なお、本実施例においては、嵌合孔２９は本体１の底面を貫通して形成されているが、係止片２８の形状に合わせて凹状に窪ませてもよい。また、係止機構は１箇所にのみ設けているが、複数設けることとしても構わない。
【００３５】
次に、水槽部３と本体１との係止機構の作用について図６および図７を用いて詳しく説明する。
【００３６】
図６は、水槽部３に水タンク２が装着されているときの係止機構を説明する図である。水槽部３に水タンク２が装着されていると、図中の矢印で示すように水タンク２の荷重が水槽部３に対して下向きに加わっており、これが係止片２８を嵌合孔２９に押し付ける力として働いている。つまり、水タンク２が装着されることにより、係止機構を解除するためには大きな力が必要となるので本体１から水槽部３が外れにくくなる。したがって、水タンク２が装着されていれば、持ち運びの際に加湿装置を傾けても、水槽部３が本体１から外れてしまうことが確実に防止されることとなる。なお、水タンク２は、水槽部３に保持されているため、水槽部３が本体１から外れなければ水タンク２が本体１から脱落してしまうこともない。
【００３７】
一方、図７は、本体１から水槽部３を取り外すときの係止機構を説明する図である。本体１から水槽部３を取り外す際には、まず最初に水タンク２を取り外しているため、図６のように係止機構に対して上から押さえつける力は働いていない。この状態で、水槽部取手２０に下から手を掛けると、図中の矢印で示すように本体１に対して水槽部３を上方に持ち上げる力が加わる。水槽部３を持ち上げる方向と係止機構を解除する方向は同じであるため、水槽部３を持ち上げることにより係止片２８が嵌合孔２９から抜け、係止機構が解除される。そして、水槽部３手前に引き出すことで水槽部３を容易に取り外すことができる。
【００３８】
ところで、係止片２８と嵌合孔２９のクリアランスを可能な限り小さくしてきつく嵌り込むようにすれば、本体１と水槽部３を係止する力が強くなり水槽部３の脱落を防ぐことができる。しかし、本体１から水槽部３を取り外す際に必要な力も大きくなるため、水槽部３が引き出しにくくなって使勝手が悪くなってしまう。これに対して、本発明の構成によれば、本体１と水槽部３の係止には、係止片２８と嵌合孔２９の係止力だけでなく、水タンク２の荷重を加えるようにしたため、係止片２８が嵌合孔２９にきつく嵌り込むようにしなくとも、水タンク２が装着されていれば本体１と水槽部３を係止する力を強くすることができる。一方、本体１から水槽部３を取り外す際には、水槽部３に対して水タンク２の荷重は加わっていないため、係止片２８を嵌合孔２９から抜くために大きな力は必要なく、容易に係止機構を解除することができる。
【００３９】
そして、係止機構を働かせるためには水タンク２を水槽部３に装着するだけでよく、もしも、水タンク２を装着する際に途中で手を離して水タンク２を水槽部３上に落としてしまったとしても、水タンク２は係止片２８とは接触していないので係止片２８が破損するおそれもない。加えて、係止機構は本体１の外装にはなんら影響を及ぼさないため、持ち手の配置などのデザイン上の制約を受けることなく、確実に水槽部３が本体１から脱落するのを防止することができる。
【実施例２】
【００４０】
次に、図８〜図１０に基づき本発明の加湿装置の実施例２を説明する。なお、本実施例の特徴は、係止片２８と嵌合孔２９の配置場所および形状が実施例１と異なる点である。その他の点においては実施例１と同じであるため説明を省略する。
【００４１】
図８は、実施例２の係止機構を示す図である。本体１の底面に凸状の係止片２８が設けられており、この係止片２８と対向して水タンク収容部１７の底面には嵌合孔２９が設けられている。なお、水タンク収容部２７には水タンク２から供給された水が貯えられるため、嵌合孔２９は貫通孔ではなく水タンク収容部２７の底面に対して凹状の窪みとして形成する。
【００４２】
図９は、水槽部３に水タンク２が装着されているときの係止機構を説明する図である。図中の矢印で示すように水タンク２の荷重が水槽部３に対して下向きに加わっており、これが嵌合孔２９を係止片２８に押し付ける力として働いている。つまり、水タンク２が装着されることにより、係止機構を解除するためには大きな力が必要となるので本体１から水槽部３が外れにくくなる。したがって、持ち運びの際に加湿装置を傾けても、水槽部３が本体１から外れてしまうことが確実に防止されることとなる。なお、水タンク２は、水槽部３に保持されているため、水槽部３が本体１から外れなければ水タンク２が本体１から脱落してしまうこともない。
【００４３】
一方、図１０は、本体１から水槽部３を取り外すときの係止機構を説明する図である。本体１から水槽部３を取り外す際には、まず最初に水タンク２を取り外しているため、図９のように係止機構に対して上から押さえつける力は働いていない。この状態で、水槽部取手２０に下から手を掛けると、図中の矢印で示すように本体１に対して水槽部３を上方に持ち上げる力が加わる。水槽部３を持ち上げる方向と係止機構を解除する方向は同じであるため、水槽部３を持ち上げることにより嵌合孔２９が係止片２８から抜け、係止機構が解除される。そして、水槽部３手前に引き出すことで水槽部３を容易に取り外すことができる。
【実施例３】
【００４４】
次に、図１１〜図１３に基づき本発明の加湿装置の実施例３を説明する。なお、本実施例の特徴は、係止機構が２つの係止片２８ａと２８ｂからなることが実施例１および２と異なる点である。その他の点においては同じであるため説明を省略する。
【００４５】
図１１は、実施例３の係止機構を示す図である。本体１の底面に係止片２８ａが設けられ、この係止片２８ａと近接して水タンク収容部１７の底面にも係止片２８ｂが設けられており、この２つの係止片２８ａと２８ｂが噛み合うことで本体１と水槽部３が係合する。水槽部３を係止片２８ａの高さ分上に持ち上げると、係止片２８ａに係止片２８ｂが乗り上がって係止機構が解除される。
【００４６】
図１２は、水槽部３に水タンク２が装着されているときの係止機構を説明する図である。図中の矢印で示すように水タンク２の荷重が水槽部３に対して下向きに加わっており、これが係止片２８ｂを押し付ける力として働いている。つまり、水タンク２が装着されることにより、係止機構を解除するためには大きな力が必要となるので本体１から水槽部３が外れにくくなる。したがって、持ち運びの際に加湿装置を傾けても、水槽部３が本体１から外れてしまうことが確実に防止されることとなる。なお、水タンク２は、水槽部３に保持されているため、水槽部３が本体１から外れなければ水タンク２が本体１から脱落してしまうこともない。
【００４７】
一方、図１３は、本体１から水槽部３を取り外すときの係止機構を説明する図である。本体１から水槽部３を取り外す際には、まず最初に水タンク２を取り外しているため、図１２のように係止機構に対して上から押さえつける力は働いていない。この状態で、水槽部取手２０に下から手を掛けると、図中の矢印で示すように本体１に対して水槽部３を上方に持ち上げる力が加わる。水槽部３を持ち上げる方向と係止機構を解除する方向は同じであるため、水槽部３を持ち上げることにより係止片２８ｂが係止片２８ａに乗り上がって、係止機構が解除される。そして、水槽部３を手前に引き出すことで水槽部３を容易に取り外すことができる。
【符号の説明】
【００４８】
１    本体
２    水タンク
３    水槽部
２８、２８ａ、２８ｂ  係止片
２９  嵌合孔
【図１】
2014009882.tif 000003
【図２】
2014009882.tif 000004
【図３】
2014009882.tif 000005
【図４】
2014009882.tif 000006
【図５】
2014009882.tif 000007
【図６】
2014009882.tif 000008
【図７】
2014009882.tif 000009
【図８】
2014009882.tif 000010
【図９】
2014009882.tif 000011
【図１０】
2014009882.tif 000012
【図１１】
2014009882.tif 000013
【図１２】
2014009882.tif 000014
【図１３】
2014009882.tif 000015